(57)【要約】【課題】  モータあるいは打撃機構部の冷却性を向上するように改良された打撃工具を提供する【解決手段】  モータ１１０と、駆動機構１２０，１４０と、本体ハウジング１０３と、ハンドル１０９と、を有し、モータ１１０の一部及びハンドル１０９の一部が先端工具の長軸線上に配置されている打撃工具である。打撃工具は、本体ハウジング１０３の外側を覆うように配置されるとともに当該本体ハウジング１０３に対して先端工具の長軸方向に相対移動可能に弾性体２１９を介して連結された外側ハウジング１０５を有し、ハンドル１０９が外側ハウジング１０５に連結されて一体化されている。本体ハウジング１０３は、モータ１１０と駆動機構１２０，１４０の少なくとも一方に対応する領域の少なくとも一部が外側ハウジング１０５によって覆われない露出領域１１３を有する。【選択図】  図１
2015182167.tif 000002
【特許請求の範囲】
【請求項１】
モータと、
前記モータにより駆動され、先端工具を少なくとも長軸方向に駆動する駆動機構と、
前記モータ及び前記駆動機構を収容する本体ハウジングと、
ハンドルと、を有し、
前記モータの一部及び前記ハンドルの一部が前記先端工具の長軸線上に配置されている打撃工具であって、
前記本体ハウジングの外側を覆うように配置された外側ハウジングと、
前記本体ハウジングと前記外側ハウジング間に介在された弾性体と、を有し、
前記外側ハウジングは、前記本体ハウジングに対して前記弾性体を介して前記先端工具の長軸方向に相対移動可能に取り付けられており、
前記ハンドルが前記外側ハウジングに連結されて一体化されており、
前記本体ハウジングは、前記モータと前記駆動機構の少なくとも一方に対応する領域の少なくとも一部が前記外側ハウジングによって覆われない露出領域を有することを特徴とする打撃工具。
【請求項２】
請求項１に記載の打撃工具であって、
前記本体ハウジングの露出領域は、前記外側ハウジングの外表面と面一となるように形成された外表面領域を有することを特徴とする打撃工具。
【請求項３】
請求項１又は２に記載の打撃工具であって、
前記外側ハウジングは、当該外側ハウジングの一部が前記本体ハウジングから取外し可能に構成されており、当該一部を取り外すことで前記本体ハウジングは前記露出領域以外の領域が露出されることを特徴とする打撃工具。
【請求項４】
請求項３に記載の打撃工具であって、
前記外側ハウジングは、第１ハウジングと当該第１ハウジングとは別体の第２ハウジングを有しており、
前記第１ハウジングと前記第２ハウジングのうち少なくとも一方が、前記本体ハウジングに対して取外し可能に連結されていることを特徴とする打撃工具。
【請求項５】
請求項４に記載の打撃工具であって、
前記駆動機構は、前記モータの回転を直線運動に変換する運動変換機構を有し、
前記運動変換機構は、当該運動変換機構の回転軸に前記モータの回転を伝達する回転伝達機構を有し、
前記本体ハウジングは、前記運動変換機構を収容する運動変換機構収容部と、前記回転伝達機構を収容する回転伝達機構収容部と、を有し、
前記運動変換機構収容部は、当該運動変換機構収容部の内部と外部を連通する通気用通路及び当該通気用通路に配置されたエアフィルタを有し、
前記第１ハウジングが前記本体ハウジングから取り外された場合に、前記伝達機構収容部が露出され、前記第２ハウジングが前記本体ハウジングから取り外された場合に、前記エアフィルタが露出される構成であり、
前記ハンドルは、前記第１ハウジングと前記第２ハウジングの少なくとも一方に対して取外し可能に連結されており、前記ハンドルが前記第１ハウジングと前記第２ハウジングの少なくとも一方から取り外された場合に、前記モータの駆動に関係する電材部品が露出されるように構成されていることを特徴とする打撃工具。
【請求項６】
請求項１〜５のいずれか１項に記載の打撃工具であって、
前記本体ハウジングは、前記駆動機構の一部を収容するバレル部を有し、
前記外側ハウジングは、前記バレル部を覆うバレルカバーを有し、
前記バレルカバーには、サイドハンドルが装着可能なサイドハンドル装着部が形成されていることを特徴とする打撃工具。
【請求項７】
請求項１〜６のいずれか１項に記載の打撃工具であって、
前記本体ハウジングに対して前記外側ハウジング及び前記ハンドルを前記先端工具の長軸方向に案内するガイド部を有し、
前記ガイド部は、前記本体ハウジングに形成された第１摺動部と前記ハンドルに形成された第２摺動部によって構成されることを特徴とする打撃工具。
【請求項８】
請求項１〜７のいずれか１項に記載の打撃工具であって、
前記先端工具が長軸方向に駆動されるハンマ作業時に、前記先端工具の長軸方向に直線移動することでハンマ作業時における前記本体ハウジングの制振を行うウェイトを有することを特徴とする打撃工具。
【請求項９】
請求項１〜８のいずれか１項に記載の打撃工具であって、
弾性要素と、
前記弾性要素による付勢力が作用した状態で直線移動可能とされたウェイトを有し、当該ウェイトが前記先端工具の長軸方向に移動することによってハンマ作業時における前記本体ハウジングの制振を行う動吸振器と、
ハンマ作業時において、前記弾性要素を介して前記ウェイトに前記本体ハウジングの振動以外の外力を加えることで前記ウェイトを積極的に駆動する機械式加振機構と、を有することを特徴とする打撃工具。
【発明の詳細な説明】
【技術分野】
【０００１】
本発明は、被加工材に所定のハンマ作業を遂行する打撃工具に関する。
【背景技術】
【０００２】
特開２００４−１７４７０７号公報は、工具ビットを駆動する電動モータ及びハンドルのそれぞれの一部が工具ビットの長軸軸線上に配置された電動ハンマが開示されている。また、この電動ハンマにおいては、ハンドルを一体に有する外側ハウジングが、電動モータ及び駆動機構部を収容する内側ハウジングの全体を覆うように構成されている。
【先行技術文献】
【特許文献】
【０００３】
【特許文献１】特開２００４−１７４７０７号公報
【発明の概要】
【発明が解決しようとする課題】
【０００４】
特開２００４−１７４７０７号公報に記載の電動ハンマでは、電動モータ及び駆動機構部を収容する内側ハウジングの全体を外側ハウジングで覆う構成であり、モータあるいは駆動機構部が冷却し難いという点で、なお改良の余地がある。
【０００５】
本発明は、上記に鑑みてなされたものであり、モータあるいは駆動機構部の冷却性を向上するように改良された打撃工具を提供することを目的とする。
【課題を解決するための手段】
【０００６】
上記課題を達成するため、本発明に係る打撃工具の好ましい形態によれば、モータと、モータにより駆動され、先端工具を少なくとも長軸方向に駆動する駆動機構と、モータ及び駆動機構を収容する本体ハウジングと、ハンドルと、を有し、モータの一部及びハンドルそれぞれの一部が先端工具の長軸線上に配置されている打撃工具が構成される。打撃工具は、本体ハウジングの外側を覆うように配置された外側ハウジングと、本体ハウジングと外側ハウジングとの間に配置された弾性体と、を有する。外側ハウジングは、本体ハウジングに対し弾性体を介して先端工具の長軸方向に相対移動可能に取り付けられている。ハンドルが外側ハウジングに連結されて一体化されている。そして、本体ハウジングは、モータと駆動機構の少なくとも一方に対応する領域の少なくとも一部が外側ハウジングによって覆われない露出領域を有する。本発明における「露出領域」は、本体ハウジングのうちモータに対応する領域の一部または全部が露出する態様、本体ハウジングのうち駆動機構に対応する領域の一部または全部が露出する態様、本体ハウジングのうちモータ及び駆動機構に対応する領域の一部または全部が露出する態様を包含する。また、本発明における「駆動機構」は、典型的にはモータの回転を直線運動に変換する運動変換機構と、当該運動変換機構により直線状に駆動されて先端工具に長軸方向に打撃を加える打撃機構によって構成される。また、本発明における「弾性体」としては、典型的にはバネが用いられるが、バネに限らずゴムを用いてもよい。
【０００７】
本発明によれば、モータの一部及びハンドルそれぞれの一部が先端工具の長軸線上に配置されている打撃工具において、本体ハウジングは、モータと駆動機構の少なくとも一方に対応する領域の少なくとも一部が外側ハウジングによって覆われない露出領域を有する構成としている。本体ハウジングに露出領域を設定することにより、モータ又は駆動機構が駆動することで発生した熱が露出領域を通じて外部に放散し易くなり、打撃工具に関する冷却性が向上する。
【０００８】
本発明に係る打撃工具の更なる形態によれば、本体ハウジングの露出領域は、外側ハウジングの外表面と面一となるように形成された外表面領域を有する。ここで、「外表面領域」は、露出領域の全体に形成される態様、あるいは一部に形成される態様のいずれであってもよい。また、露出領域に放熱用のフィンを設けることが可能であり、その場合、フィン先端が外側ハウジングの外表面と面一となるように設定することが好ましい。
この形態によれば、本体ハウジングの露出領域が外側ハウジングの外表面と面一の外表面領域を有することで面積の大きな外表面が形成され、見栄えの良い外観形状を得ることができる。
【０００９】
本発明に係る打撃工具の更なる形態によれば、外側ハウジングは、当該外側ハウジングの一部が本体ハウジングから取外し可能に構成されており、当該一部を取り外すことで本体ハウジングは露出領域以外の領域が露出される構成としている。
この形態によれば、外側ハウジングの一部が本体ハウジングから取外し可能であり、当該一部を取り外した場合に、本体ハウジングは露出領域以外の領域が露出される構成としたことにより、本体ハウジングに収容されるモータや駆動機構あるいはその関連部品の保守点検作業を行う上で有効となる。
【００１０】
本発明に係る打撃工具の更なる形態によれば、外側ハウジングは、第１ハウジングと当該第１ハウジングとは別体の第２ハウジングを有しており、第１ハウジングと第２ハウジングのうち少なくとも一方が、本体ハウジングに対して取外し可能に連結されている。
この形態によれば、第１ハウジングと第２ハウジングのうち少なくとも一方が本体ハウジングから取外された場合には、本体ハウジングが露出されるため、当該本体ハウジングに収容されるモータや駆動機構に関連する部品の保守点検作業を行うことができる。
【００１１】
本発明に係る打撃工具の更なる形態によれば、駆動機構は、モータの回転を直線運動に変換する運動変換機構を有する。運動変換機構は、当該運動変換機構の回転軸にモータの回転を伝達する回転伝達機構を有する。この回転伝達機構は、典型的には複数のギアによって構成される。本体ハウジングは、運動変換機構を収容する運動変換機構収容部と、回転伝達機構を収容する回転伝達機構収容部と、を有する。運動変換機構収容部は、運動変換機構収容部の内部と外部を連通する通気用通路及び当該通気用通路に配置されたエアフィルタを有する。そして、第１ハウジングが本体ハウジングから取り外された場合に、伝達機構収容部が露出され、第２ハウジングが本体ハウジングから取り外された場合に、エアフィルタが露出される。また、ハンドルは、第１ハウジングと第２ハウジングの少なくとも一方に取外し可能に連結されており、ハンドルが第１ハウジング及び第２ハウジングの少なくとも一方から取り外された場合に、モータの駆動に関係する電材部品が露出するように構成されている。なお、ここで「モータの駆動に関係する電材部品」とは、モータの駆動を制御するコントローラや電線あるいは電気スイッチ等がこれに該当する。
【００１２】
本発明に係る打撃工具の更なる形態によれば、本体ハウジングは、駆動機構の一部を収容するバレル部を有する。外側ハウジングは、バレル部を覆うバレルカバーを有し、バレルカバーには、サイドハンドルが装着可能なサイドハンドル装着部が形成されている。
この形態によれば、外側ハウジングのバレルカバーにサイドハンドルを装着し、ハンドルと当該サイドハンドルを把持して打撃工具を操作できる。
【００１３】
本発明に係る打撃工具の更なる形態によれば、本体ハウジングに対して外側ハウジング及びハンドルを先端工具の長軸方向に案内するガイド部を有する。ガイド部は、本体ハウジングに形成された第１摺動部とハンドルに形成された第２摺動部によって構成されている。
この形態によれば、本体ハウジングに対して先端工具の長軸方向に相対移動可能とされた外側ハウジング及びハンドルをガイド部で案内する構成であり、本体ハウジングに対する外側ハウジング及びハンドルの安定した相対移動が可能になる。
【００１４】
本発明に係る打撃工具の更なる形態によれば、先端工具が長軸方向に駆動されるハンマ作業時に、先端工具の長軸方向に直線移動することでハンマ作業時における本体ハウジングの制振を行うウェイトを有する。ここで、本発明における「ウェイト」とは、ハンマ作業時において、本体ハウジングに生ずる振動に対抗して直線移動することで当該振動の制振を行うカウンタウェイトや動吸振器の構成部材として備えられるウェイトを好適に包含する。
この形態によれば、ハンマ作業時に本体ハウジングに生ずる先端工具の長軸方向の振動をウェイトにより抑制することが可能になる。
【００１５】
本発明に係る打撃工具の更なる形態によれば、弾性要素と、当該弾性要素による付勢力が作用した状態で直線移動可能とされたウェイトを有し、当該ウェイトが先端工具の長軸方向に移動することによってハンマ作業時における本体ハウジングの制振を行う動吸振器と、ハンマ作業時において、弾性要素を介してウェイトに本体ハウジングの振動以外の外力を加えることでウェイトを積極的に駆動する機械式加振機構と、を有する。
この形態によれば、動吸振器につき、機械式加振機構によりウェイトを積極的に駆動させることにより打撃工具の効果的な制振を図ることができる。
【発明の効果】
【００１６】
本発明によれば、モータあるいは駆動機構部の冷却性を向上するように改良された打撃工具が提供されることとなった。
【図面の簡単な説明】
【００１７】
【図１】本実施形態に係る電動ハンマの外観斜視図である。
【図２】電動ハンマの側面図であり、外側ハウジング及びハンドグリップの初期位置を示す。
【図３】電動ハンマの側面図であり、外側ハウジング及びハンドグリップが本体ハウジングに対して先端側へ移動された状態を示す。
【図４】電動ハンマの外側ハウジングを分解した状態を示す斜視図である。
【図５】電動ハンマの内部構造を示す縦断面図である。
【図６】図５の一部を拡大して示す断面図である。
【図７】ハンドグリップを案内するスライドガイドを示す断面図であり、ハンドグリップの初期位置を示す。
【図８】ハンドグリップを案内するスライドガイドを示す断面図であり、ハンドグリップが先端側へ移動された状態を示す。
【図９】電動モータのカーボンブラシホルダ配置を示す部分図である。
【発明を実施するための最良の形態】
【００１８】
以下、本発明の実施形態につき、図１〜図９を参照しつつ詳細に説明する。本実施形態は、打撃工具の一例として電動ハンマを用いて説明する。本実施の形態に係る電動ハンマ１００は、工具本体としての本体部１０１の先端領域にハンマビット１１９（図５参照）を装着し、装着されたハンマビット１１９を長軸方向に打撃動作させて、被加工材、例えばコンクリートに対してハツリ作業を行う打撃工具である。ハンマビット１１９は、筒状のツールホルダ１３１を介して本体部１０１に着脱自在に取り付けられる。ハンマビット１１９は、ツールホルダ１３１のビット挿入孔内に挿入され、周方向への相対的な回動が規制された状態で保持される。このハンマビット１１９が、本発明における「先端工具」に対応する実施構成例である。
【００１９】
本体部１０１は、図５に示すように、電動モータ１１０、第１クランク機構１２０、第２クランク機構１５０、ギア減速機１３０及び打撃要素１４０を収容する本体ハウジング１０３と、本体ハウジング１０３を覆う外側ハウジング１０５と、外側ハウジング１０５に連結されて一体状とされるハンドグリップ１０９を主体として構成されている。本体ハウジング１０３が、本発明における「本体ハウジング」に対応し、外側ハウジング１０５が、本発明における「外側ハウジング」に対応し、ハンドグリップ１０９が、本発明における「ハンドル」に対応する実施構成例である。
【００２０】
図４には、電動ハンマ１００の外側ハウジング１０５を分解した状態が示される。本体ハウジング１０３は、具体的には電動モータ１１０、第１クランク機構１２０、第２クランク機構１５０を収容するクランクハウジング１０３Ａ、ギア減速機１３０を収容するギアハウジング１０３Ｂ及び打撃要素１４０を収容するバレル部１０３Ｃ、電材部品を覆うリアカバー１０３Ｄにより構成されている。クランクハウジング１０３Ａが、本発明における「運動変換機構収容部」に対応し、ギアハウジング１０３Ｂが、本発明における「回転伝達機構収容部」に対応する実施構成例である。クランクハウジング１０３Ａ及びバレル部１０３Ｃは、共にアルミニウム製であり、ハンマビット１１９の長軸方向に関して複数のネジ（図示しない）を用いて互いに取り外し可能に連結される。また、ギアハウジング１０３Ｂは、アルミニウム製であり、クランクハウジング１０３Ａのうちハンマビット１１９の長軸方向と交差する方向の一端側に配置され、複数のネジ１０７を用いてクランクハウジング１０３Ａに取外し可能に連結される。また、リアカバー１０３Ｄは、樹脂製であり、クランクハウジング１０３Ａを挟んでバレル部１０３Ｃの反対側に配置され、複数のネジ（図示しない）を用いてクランクハウジング１０３Ａに取外し可能に連結される。なお、クランクハウジング１０３Ａの内部は、電動モータ１１０を収容する空間と、第１クランク機構１２０及び第２クランク機構１５０を収容する空間とに仕切られている。
【００２１】
ハツリ作業時において、作業者が把持するハンドグリップ１０９は、図１〜図３に示すように、ハンマビット１１９の長軸方向に関して、外側ハウジング１０５のハンマビット１１９と反対側に配置されている。本実施形態では、便宜上、ハンマビット１１９の長軸方向、すなわち本体部１０１の長軸方向に関して、ハンマビット１１９側を、前側、その反対側を、後側という。また、ハンマビット１１９の長軸方向と交差する方向に関して、ギアハウジング１０３Ｂ側を上側、その反対側を下側という。
【００２２】
なお、本実施形態に係る電動ハンマ１００は、電動モータ１１０のモータ軸１１１とハンドグリップ１０９のグリップ部１０９Ａが互いに平行で、かつハンマビット１１９の長軸方向に延在する軸線に対しては交差する上下方向に延在するように配置されている。そして、電動モータ１１０及びハンドグリップ１０９がハンマビット１１９の長軸軸線上に配置されたインライン型の電動ハンマとして構成されている。電動モータ１１０は、交流（ＡＣ）電源からの給電によって駆動される構成である。この電動モータ１１０が、本発明における「モータ」に対応する実施構成例である。
【００２３】
図５及び図６に示すように、電動モータ１１０の回転は、ギア減速機１３０を介して第１クランク機構１２０に伝達された後、当該第１クランク機構１２０によって直線運動に適宜変換された上で打撃要素１４０に伝達され、当該打撃要素１４０を介してハンマビット１１９を長軸方向（図１における左方）に打撃する。また、電動モータ１１０の回転は、第１クランク機構１２０を介して第２クランク機構１５０に伝達されるとともに、当該第２クランク機構１５０によって直線運動に変換され、動吸振器１６０を強制的に振動させる駆動力とされる。上記のギア減速機１３０、第１クランク機構１２０及び打撃要素１４０が、本発明における「駆動機構」に対応する実施構成例である。
【００２４】
第１クランク機構１２０は、ギア減速機１３０を介して伝達される電動モータ１１０の回転を直線運動に変換して打撃要素１４０に伝達するものであり、電動モータ１１０の前方に配置されている。第１クランク機構１２０が、本発明における「運動変換機構」に対応する実施構成例である。第１クランク機構１２０は、図６に示すように、ギア減速機１３０により駆動される第１クランク軸１２１、偏心ピン１２３、連接ロッド１２５、ピストン１２７等から構成される。ピストン１２７は、打撃要素１４０を駆動する駆動子を構成するものであり、シリンダ１４１内をハンマビット１１９の長軸方向に摺動可能とされる。なお、第１クランク軸１２１は、電動モータ１１０のモータ軸１１１と平行に配置されている。
【００２５】
ギア減速機１３０は、電動モータ１１０の回転を第１クランク機構１２０の第１クランク軸１２１に伝達するものであり、複数のギアから構成されている。ギア減速機１３０は、第１クランク軸１２１の軸方向一端側、すなわち上側に配置され、ギアハウジング１０３Ｂに収容されている。
【００２６】
打撃要素１４０は、図６に示すように、シリンダ１４１内に摺動自在に配置されてハンマビット１１９の長軸方向に直線運動する打撃子としてのストライカ１４３と、ツールホルダ１３１内に摺動自在に配置されるとともに、ストライカ１４３の運動エネルギをハンマビット１１９に伝達する中間子としてのインパクトボルト１４５とを主体として構成される。シリンダ１４１は、ツールホルダ１３１の後方に同心状に配置されるとともに、ピストン１２７及びストライカ１４３によって仕切られる空気室１４１ａを有する。ストライカ１４３は、ピストン１２７の摺動動作に伴う空気室１４１ａの空気ばねを介して駆動され、インパクトボルト１４５に衝突し、当該インパクトボルト１４５を介してハンマビット１１９を打撃する。これにより、ハンマビット１１９が被加工材にハンマ作業を遂行する。
【００２７】
第２クランク機構１５０は、図６に示すように、電動モータ１１０の回転を直線運動に変換して動吸振器１６０に伝達するものであり、動吸振器１６０のウェイト１６１を積極的に駆動させることによって動吸振器１６０を強制的に振動させる機構として備えられる。第２クランク機構１５０が、本発明における「機械式加振機構」に対応する実施構成例である。動吸振器１６０は、ハンマ作業時に本体ハウジング１０３の制振を行う手段として備えられる。以下、本明細書では、動吸振器１６０を強制的に振動させることを強制加振という。動吸振器１６０は、バレル部１０３Ｃの内部空間において、シリンダ１４１外周面の周方向全体を覆うように円環状に配置される円筒状のウェイト１６１と、当該ウェイト１６１のハンマビット１１９の長軸方向の前側と後側にそれぞれ配置された前後の付勢バネ１６３Ｆ，１６３Ｒとを主体として構成される。ウェイト１６１が、本発明における「ウェイト」に対応し、付勢バネ１６３Ｆ，１６３Ｒが、本発明における「弾性要素」に対応する実施構成例である。前後の付勢バネ１６３Ｆ，１６３Ｒは、ウェイト１６１がハンマビット１１９の長軸方向に移動する際に当該ウェイト１６１に対向状の弾発力を付与する。
【００２８】
ウェイト１６１は、その外周面がバレル部１０３Ｃの内壁面（円筒面）に接した状態で摺動自在とされる。また、前後の付勢バネ１６３Ｆ，１６３Ｒは、それぞれ圧縮コイルバネによって構成される。後側の付勢バネ１６３Ｒは、一端がバネ受部材としてのスライドスリーブ１６５のフランジ部１６５ａの前面に当接され、他端がウェイト１６１の軸方向後端に当接される。また、前側の付勢バネ１６３Ｆは、一端がウェイト１６１の軸方向前端に当接され、他端がバレル部１０３Ｃの段差面にバネ受部材としてのリング状部材１６７を介して当接される。
【００２９】
スライドスリーブ１６５は、第２クランク機構１５０の駆動力を後側の付勢バネ１６３Ｒを介してウェイト１６１に入力する入力部材を構成しており、シリンダ１４１の外周面に対しハンマビット長軸方向に摺動自在に嵌合されるとともに、第２クランク機構１５０によって摺動される。
【００３０】
第２クランク機構１５０は、第１クランク機構１２０の第１クランク軸１２１の軸方向他端側、すなわち下側に配置されている。第２クランク機構１５０は、図６に示すように、第１クランク機構１２０の偏心ピン１２３の回転により回転される第２クランク軸１５１、第２クランク軸１５１上に一体に形成された偏心軸部１５３、偏心軸部１５３の回転によってハンマビット１１９の長軸方向に直線状に移動されてスライドスリーブ１６５を前方へ移動させる作動部材としてのロッド１５５を主体として構成される。
【００３１】
第２クランク軸１５１は、第１クランク軸１２１と同軸上で対向状に配置されるとともに、第１クランク軸１２１と対向する側に円板部１５７を有している。円板部１５７には、第２クランク軸１５１の回転中心から偏心した位置に凹部１５７ａが形成され、当該凹部１５７ａに第１クランク機構１２０の偏心ピン１２３の突出端部が係合されている。すなわち、第２クランク軸１５１は、円板部１５７と偏心ピン１２３の係合を介して第１クランク軸１２１から入力される駆動力によって回転される構成とされる。
【００３２】
ハンマ作業時において、第１クランク軸１２１が回転されるとき、偏心ピン１２３と円板部１５７を介して係合する第２クランク軸１５１が当該第１クランク軸１２１と同一速度で回転される。第２クランク軸１５１の偏心軸部１５３が回転することにより、当該偏心軸部１５３の外周面に当接しているロッド１５５が直線運動する。ロッド１５５が前方へ移動した場合、当該ロッド１５５によりスライドスリーブ１６５が前方へと押されて移動し、付勢バネ１６３Ｆ，１６３Ｒを圧縮させる。一方、ロッド１５５が後方へ移動した場合には、スライドスリーブ１６５が付勢バネ１６３Ｆ，１６３Ｒの弾発力によって押されて後方へ移動する。すなわち、ハンマ作業時において、動吸振器１６０のウェイト１６１は、第２クランク機構１５０により付勢バネ１６３Ｆ，１６３Ｒを介して積極的に駆動される。これにより動吸振器１６０が強制加振され、本体ハウジング１０３の振動を効果的に抑制することができる。
【００３３】
図６に示すように、クランクハウジング１０３Ａのうちギア減速機１３０と反対側の下方側領域、すなわち第２クランク機構１５０の収容側には、クランク室内の空気をクランクハウジング１０３Ａの外部へ流出させるための圧力調整通路１３３を有するフィルタユニット１３４が配置されている。このフィルタユニット１３４が、本発明における「フィルタユニット」に対応する実施構成例である。フィルタユニット１３４は、第１クランク機構１２０及び打撃要素１４０の駆動により発生する熱でクランク室の空気が膨張して圧力が高くなった場合に、圧力調整通路１３３を通してクランク室内の空気をクランクハウジング１０３Ａの外部へ流出させる構造体として備えられる。
【００３４】
フィルタユニット１３４は、クランクハウジング１０３Ａの外側に固定状に取り付けられたフィルタ収容ケース１３５、フィルタ収容ケース１３５内に取外し可能に収容されたフィルタ１３６及びフィルタ収容ケース１３５に取外し可能に装着されてフィルタ１３６を保持するケースカバー１３７を主体として構成される。フィルタ１３６は、クランク室内に充填されている潤滑剤（グリス）が空気と共に外部に流出することを防止するための潤滑剤吸着材として備えられ、ケースカバー１３７をフィルタ収容ケース１３５から取り外した状態において、フィルタ１３６の保守点検や交換が可能とされる。
【００３５】
また、図４及び図６に示すように、クランクハウジング１０３Ａのハンマビット１１９と反対側の後面側には、電動モータ１１０の駆動を制御するコントローラ１７１や電気スイッチ１７３等の電材部品を収容する電材部品収容ケース１７０が配置されている。このコントローラ１７１や電気スイッチ１７３が、本発明における「電材部品」に対応する実施構成例である。コントローラ１７１には外部電源供給用の電流供給ケーブル１７２が接続されている。クランクハウジング１０３Ａの後側には、電材部品収容ケース１７０の上下方向中間領域の側面及び後面を覆う上面視で略Ｕ字形のリアカバー１０３Ｄが配置されるとともに、当該クランクハウジング１０３Ａに対して取外し可能に装着されている。従って、リアカバー１０３Ｄをクランクハウジング１０３Ａから取り外した状態では、コントローラ１７１の保守点検が可能とされる。なお、ハンドグリップ１０９には、作業者がハンマビット１１９の長軸方向に交差する左右方向にスライド操作可能なスイッチ操作部材１７７が取り付けられている。スイッチ操作部材１７７をスライド操作することによって、電気スイッチ１７３がオン状態とオフ状態間で切り替えられる。電気スイッチ１７３のオン状態により電動モータ１１０が駆動され、オフ状態により停止される。
【００３６】
また、図９に示すように、クランクハウジング１０３Ａのうち電動モータ１１０のモータ軸１１１の軸方向一端側（下側）に対応する領域には、筒状のカーボンブラシホルダ１８１が収容されている。カーボンブラシホルダ１８１には電動モータ１１０の整流子に通電するためのカーボンブラシ１８３が収納されている。そして、カーボンブラシホルダ１８１を収容するブラシホルダ収容領域１８５には、開口部１８７が形成されている。これにより、当該開口部１８７を通してクランクハウジング１０３Ａの外側からカーボンブラシ１８３の保守点検や交換等の作業が可能とされている。
【００３７】
本体ハウジング１０３の外側に配置される外側ハウジング１０５は、図４に示すように、上側ハウジングカバー１０５Ａと、下側ハウジングカバー１０５Ｂと、バレルカバー１０５Ｃを主体として構成されている。上側ハウジングカバー１０５Ａは、下側が開放された断面Ｕ字形に形成されており、本体ハウジング１０３のクランクハウジング１０３Ａのうちギアハウジング１０３Ｂを含む上面側全体と、左右の側面のうちの上面側を覆う構成とされる。下側ハウジングカバー１０５Ｂは、上側が開放された断面Ｕ字形に形成されており、本体ハウジング１０３のクランクハウジング１０３Ａのうちフィルタユニット１３４及びブラシホルダ収容領域１８５を含む下面側全体と、左右の側面のうちの下面側を覆う構成とされる。なお、上側ハウジングカバー１０５Ａ、下側ハウジングカバー１０５Ｂ及びバレルカバー１０５Ｃは、共に合成樹脂製である。
【００３８】
本実施形態においては、図１〜図３に示すように、上側ハウジングカバー１０５Ａ及び下側ハウジングカバー１０５Ｂがクランクハウジング１０３Ａの外側に配置された状態において、当該上側ハウジングカバー１０５Ａの側面下端と下側ハウジングカバー１０５Ｂの側面上端が上下方向に関して所定の間隔を置いて対向する。これにより上側ハウジングカバー１０５Ａの側面下端と下側ハウジングカバー１０５Ｂの側面上端との間には開口が設定され、この開口からクランクハウジング１０３Ａのうち、電動モータ１１０、第１クランク機構１２０及び第２クランク機構１５０を収容する領域に対応する左右の各側面が露出される。
【００３９】
すなわち、クランクハウジング１０３Ａのうち、電動モータ１１０、第１クランク機構１２０及び第２クランク機構１５０を収容する領域に対応する左右の各側面には、上側ハウジングカバー１０５Ａと下側ハウジングカバー１０５Ｂによって覆われない露出領域１１３が形成されている。この露出領域１１３が、本発明における「露出領域」に対応する実施構成例である。露出領域１１３は、ハンマビット１１９の長軸方向に延在している。そして、露出領域１１３の外表面のうち、ハンドグリップ１０９に近い後側領域１１３ａの外表面が、上側ハウジングカバー１０５Ａ及び下側ハウジングカバー１０５Ｂの外表面と面一に形成されている。この後側領域１１３ａの外表面が、本発明における「外表面領域」に対応する実施構成例である。また、露出領域１１３のうち、後側領域１１３ａよりも前方の前側領域は、内側に窪む凹部であり、当該凹部にハンマビット１１９の長軸方向に延在する板状の放熱フィン１１４が上下方向に所定間隔で複数形成されている。そして、放熱フィン１１４は、凹部底面から外向きに突出するとともに、その突出端面が、後側領域１１３ａの外表面と面一に形成されている。
【００４０】
バレルカバー１０５Ｃは、円形の筒状に形成されており、本体ハウジング１０３のバレル部１０３Ｃのうち先端（前端）以外の領域を覆うように構成される。バレルカバー１０５Ｃの後端部側には、四角形の筒状部１９１が形成されている。そして、筒状部１９１の後端に、上側ハウジングカバー１０５Ａの前端及び下側ハウジングカバー１０５Ｂの前端がそれぞれ当接された状態で、バレルカバー１０５Ｃに上下のハウジングカバー１０５Ａ，１０５Ｂが複数のネジ１９３（図４参照）により取り外し可能に連結される。
【００４１】
外側ハウジング１０５の後方には、合成樹脂製のハンドグリップ１０９が配置される。ハンドグリップ１０９は、図１〜図５に示すように、ハンマビット１１９の長軸方向と交差する上下方向に延在するグリップ部１０９Ａと、グリップ部１０９Ａの延在方向一端側に形成された上側連接領域１０９Ｂと、軸方向他端側に形成された下側連接領域１０９Ｃとを主体として構成される。上側連接領域１０９Ｂ及び下側連接領域１０９Ｃは、グリップ部１０９Ａの延在方向に関して、所定間隔で対向するとともに、それぞれが前方、すなわち上下のハウジングカバー１０５Ａ，１０５Ｂに向かって延在している。上側連接領域１０９Ｂは、下側が開放された断面Ｕ字形に形成され、前端のＵ字形状が上側ハウジングカバー１０５Ａの後端のＵ字形状に対応している。下側連接領域１０９Ｃは、上側が開放された断面Ｕ字形に形成され、前端のＵ字形状が下側ハウジングカバー１０５Ｂの後端のＵ字形状に対応している。
【００４２】
そして、ハンドグリップ１０９は、上側連接領域１０９Ｂの前端が上側ハウジングカバー１０５Ａの後端に当接し、下側連接領域１０９Ｃの前端が下側ハウジングカバー１０５Ｂの後端に当接するように配置される。この配置状態でハンドグリップ１０９が上下のハウジングカバー１０５Ａ，１０５Ｂに複数のネジ１９５（図４参照）により取外し可能に連結される。すなわち、上側ハウジングカバー１０５Ａと下側ハウジングカバー１０５Ｂは、後端側ではハンドグリップ１０９を介して互いに連結され、前端側ではバレルカバー１０５Ｃを介して互いに連結された構成とされる。なお、下側連接領域１０９Ｃと下側ハウジングカバー１０５Ｂとの突合せ部位には、電流供給ケーブル１７２を挿通させる開口が形成されている。
【００４３】
上記のようにハンドグリップ１０９が配置されることで、クランクハウジング１０３Ａの後面側には、上側連接領域１０９Ｂと下側連接領域１０９Ｃによって覆われる領域と覆われない領域が形成される。すなわち、上側連接領域１０９Ｂと下側連接領域１０９Ｃと間の上下方向中間領域には、上側連接領域１０９Ｂと下側連接領域１０９Ｃによって覆われない露出領域１１５が形成され、この露出領域１１５に本体ハウジング１０３のリアカバー１０３Ｄが配置された構成とされる。換言すれば、リアカバー１０３Ｄは、露出領域１１５の形状に対応する形状に設定されている。また、露出領域１１５に対応するリアカバー１０３Ｄの外表面は、上側連接領域１０９Ｂの外表面、下側連接領域１０９Ｃの外表面及びクランクハウジング１０３Ａの露出領域１１３の外表面に対して面一に形成されている。
【００４４】
上記のように、ネジ１９５により連結されて一体化された外側ハウジング１０５とハンドグリップ１０９は、本体ハウジング１０３に対してスライドガイド２１１及び圧縮コイルバネ２１９を介してハンマビット１１９の長軸方向に相対移動可能に連結され、これによりハンドル付き防振ハウジングが構成されている。
【００４５】
図７及び図８に示すように、スライドガイド２１１は、ガイドシャフト２１５とスライド筒部２１７を主体として構成される。このスライドガイド２１１が、本発明における「ガイド部」に対応する実施構成例である。本体ハウジング１０３のクランクハウジング１０３Ａは、ハンドグリップ１０９をハンマビット１１９の長軸方向に案内するための断面円形のガイドシャフト２１５を有する。クランクハウジング１０３Ａには後端側の上下左右の４か所に筒状のネジ孔付きシャフト保持部２１３が形成されている。ガイドシャフト２１５は、鉄製であり、軸方向一端側に雄ネジ２１５ａを有し、雄ネジ２１５ａが各シャフト保持部２１３のネジ孔２１３ａに螺合されることでハンマビット１１９の長軸方向に平行に延在するようにシャフト保持部２１３に装着されている。ガイドシャフト２１５は、シャフト保持部２１３の後端部から後方に向かって所定長さで一体に突出する突出部２１５ｂを有する。
【００４６】
ハンドグリップ１０９の上下の連接領域１０９Ｂ，１０９Ｃには、各ガイドシャフト２１５に対応してスライド筒部２１７が設けられ、スライド筒部２１７の筒孔２１７ａの内周面にガイドシャフト２１５の突出部２１５ｂの外周面が摺動可能に嵌合される。これにより、クランクハウジング１０３Ａに対してハンドグリップ１０９及び外側ハウジング１０５がハンマビット１１９の長軸方向に相対移動可能に取り付けられている。筒孔２１７ａの内周面が、本発明における「第１摺動部」に対応し、突出部２１５ｂの外周面が、本発明における「第２摺動部」に対応する実施構成例である。そして、ガイドシャフト２１５の外側を囲むように圧縮コイルバネ２１９が配置されている。圧縮コイルバネ２１９はハンドグリップ１０９とクランクハウジング１０３Ａを弾発状に接続する部材として備えられ、軸方向一端がシャフト保持部２１３にばね受け２１４を介して支持され、軸方向他端がスライド筒部２１７で支持されている。圧縮コイルバネ２１９が、本発明における「弾性体」に対応する実施構成例である。
【００４７】
また、図５に示すように、外側ハウジング１０５のバレルカバー１０５Ｃの内周面とバレル部１０３Ｃの外周面との間には、弾性リング２２１が弾発状に介在されている。弾性リング２２１はゴム製であり、バレル部１０３Ｃに対するバレルカバー１０５Ｃの径方向（ハンマビット１１９の長軸方向と交差する方向）の位置決めをなすとともに、軸方向及び径方向に弾性変形することによって防振部材としても機能する。
【００４８】
また、電動ハンマ１００には、本体ハウジング１０３に対する外側ハウジング１０５の相対移動範囲を規定するストッパ２２３が備えられている。ストッパ２２３は、前後一対のストッパ部材２２３ａ，２２３ｂにより構成されている。前後一対のストッパ部材２２３ａ，２２３ｂは、それぞれエラストマ製である。
【００４９】
前側のストッパ部材２２３ｂは、図２〜図４に示すように、本体ハウジング１０３の左右の側面のうち露出領域１１３の前端部に配置されている。この前側のストッパ部材２２３ｂに対応して、バレルカバー１０５Ｃの筒状部１９１の後端部には後方に向かって突出する平板状の左右の突部１９１ａが設定されており、バレルカバー１０５Ｃが後方へ移動した際、突部１９１ａが前側のストッパ部材２２３ｂに当接することで外側ハウジング１０５の後端位置を規定する。図２に当接した状態が示される。
【００５０】
後側のストッパ部材２２３ａは、図７及び図８に示すように、ハンドグリップ１０９のスライド筒部２１７の筒孔２１７ａの底部に配置され、ハンドグリップ１０９が前方へ移動した際、ガイドシャフト２１５の突出部２１５ｂの後端に当接することでハンドグリップ１０９と一体の外側ハウジング１０５の前端位置を規定する。図８に当接した状態が示される。
【００５１】
なお、図７及び図８においては、前側のストッパ部材２２３ｂについて、便宜上、左下方に傾斜する斜線を付して外側ハウジング１０５及び本体ハウジング１０３との区別を明らかにしている。
【００５２】
圧縮コイルバネ２１９は、予め所定の荷重が付与された状態で組み付けられる。これにより、ハンドグリップ１０９及び外側ハウジング１０５には常時に後方に向かう付勢力が付与されている。このため、ハンドグリップ１０９及び外側ハウジング１０５は、前側のストッパ部材２２３ｂが筒状部１９１の突部１９１ａに当接された位置に保持される。この位置がハンドグリップ１０９及び外側ハウジング１０５の初期位置となる。
【００５３】
また、図１〜図４に示すように、バレルカバー１０５Ｃには、補助ハンドルとしてのサイドグリップ２３０が装着可能な円筒形のサイドグリップ装着部２２５が形成されている。サイドグリップ装着部２２５は、断面円形の円環状部によって構成される。このサイドグリップ装着部２２５が、本発明における「サイドハンドル装着部」に対応し、サイドグリップ２３０が、本発明における「サイドハンドル」に対応する実施構成例である。
【００５４】
サイドグリップ２３０は、図１に示すように、サイドグリップ装着部２２５に取外し可能に装着される取付リング部２３１、取付リング部２３１に連接されるグリップ部２３３、取付リング部２３１の径を広げたり狭めたりするための回転操作可能な操作部材２３５を主体として構成されている。サイドグリップ２３０は、取付リング部２３１がサイドグリップ装着部２２５の外周面を外側から締め付けるように操作部材２３５を回転操作することでサイドグリップ装着部２２５に固定される。取付リング部２３１による締付けを解除する、すなわち緩めるように操作部材２３５を回転操作した場合には、サイドグリップ２３０の周方向に関してグリップ部２３３の位置を変えることが可能とされる。
【００５５】
なお、バレルカバー１０５Ｃの内周面のうちサイドグリップ装着部２２５に対応する領域には、図４及び図６に示すように、鉄製のスリーブ２２７が配置されている。スリーブ２２７は、サイドグリップ装着部２２５の強度をアップするための補強部材として備えられ、取付リング部２３１を締付けた際のサイドグリップ装着部２２５の変形を防止する。
【００５６】
本実施形態に係る電動ハンマ１００は、上記のように構成されている。従って、作業者は、ハンドグリップ１０９とサイドグリップ２３０をそれぞれ把持するとともに、ハンマビット１１９の先端を被加工材に押し付けた状態でスイッチ操作部材１７７をスライド操作し、電気スイッチ１７３をオン状態に切り替える。これにより電動モータ１１０を駆動し、ハンマビット１１９を直線動作させて被加工材に対しハツリ作業を行うことができる。
【００５７】
上記のハツリ作業時において、電動ハンマ１００の本体ハウジング１０３には、主としてハンマビット１１９の長軸方向に衝撃的かつ周期的な振動が発生する。本実施形態においては、外側ハウジング１０５にハンドグリップ１０９が連結されて一体化されるとともに、当該ハンドグリップ１０９が本体ハウジング１０３に対して圧縮コイルバネ２１９を介して弾性連結されている。また、外側ハウジング１０５のうちバレルカバー１０５Ｃが弾性リング２２１を介して本体ハウジング１０３のバレル部１０３Ｃに連結されるとともに、当該バレルカバー１０５Ｃにサイドグリップ２３０が取り付けられた構成である。従って、本体ハウジング１０３に発生する上記の振動に対し、圧縮コイルバネ２１９及び弾性リング２２１が弾性変形することで、外側ハウジング１０５、ハンドグリップ１０９及びサイドグリップ２３０がハンマビット１１９の長軸方向に相対移動する。これにより本体ハウジング１０３から外側ハウジング１０５、ハンドグリップ１０９及びサイドグリップ２３０への振動伝達が低減される。
【００５８】
また、本実施形態によれば、本体ハウジング１０３にハンマビット１１９の長軸方向に平行に延在する４本のガイドシャフト２１５を設ける一方、ハンドグリップ１０９にはガイドシャフト２１５に摺動自在なスライド筒部２１７を設けてハンドグリップ１０９を案内する構成としたので、当該ハンドグリップ１０９及び外側ハウジング１０５が本体ハウジング１０３に対して相対移動する際の動作の安定化及び円滑化を図ることができる。
【００５９】
また、本実施形態によれば、４本の圧縮コイルバネ２１９をガイドシャフト２１５毎に設けてあるため、ハンドグリップ１０９に対して４本の圧縮コイルバネ２１９の付勢力をバランスよく作用させることが可能となる。
【００６０】
また、本実施形態の電動ハンマ１００は、動吸振器１６０を備えている。そして、ハンマ作業時において、動吸振器１６０のウェイト１６１は、第２クランク機構１５０により付勢バネ１６３Ｆを介して積極的に駆動され、動吸振器１６０が機械的かつ強制的に加振される構成としている。これにより動吸振器１６０は、ウェイト１６１を積極駆動する能動的な制振機構として作用し、ハンマ作業時に本体ハウジング１０３に生ずるハンマビット１１９の長軸方向の振動を効果的に抑制することができる。
【００６１】
また、本実施形態によれば、ハンドグリップ１０９が一体化された外側ハウジング１０５によって本体ハウジング１０３を覆う構成の電動ハンマ１００において、本体ハウジング１０３に、電動モータ１１０、第１クランク機構１２０、第２クランク機構１５０を収容する領域の一部が外側ハウジング１０５の外側に露出する構成としている。すなわち、本体ハウジング１０３のクランクハウジング１０３Ａは、図１〜３に示すように、左右の側面のうち上下方向の中間領域に、外側ハウジング１０５の外側に露出する露出領域１１３が設定された構成とされる。このことにより、ハンマ作業時において、電動モータ１１０、第１クランク機構１２０、第２クランク機構１５０及び打撃要素１４０が駆動することで発生した熱が露出領域１１３，１１５を通じて外部に放散し易くなり、電動ハンマ１００に関する冷却性を向上することができる。また、露出領域１１３には放熱フィン１１４が設けられ、放熱面積が拡大されている。このため、露出領域１１３における熱交換の効率を上げることができる。
【００６２】
また、本実施形態によれば、本体ハウジング１０３の露出領域１１３と外側ハウジング１０５の上側ハウジングカバー１０５Ａ、及び下側ハウジングカバー１０５Ｂの側面領域の外表面が面一に設定されている。これにより、本体ハウジング１０３の露出領域１１３を含む外側ハウジング１０５の側面につき、面積の大きな外表面が形成され、見栄えの良い外観形状を得ることができる。
【００６３】
また、本実施形態によれば、外側ハウジング１０５の上側ハウジングカバー１０５Ａ及び下側ハウジングカバー１０５Ｂがバレルカバー１０５Ｃ及びハンドグリップ１０９との連結を解除することにより本体ハウジング１０３からそれぞれ取り外すことが可能とされている。そして、上側ハウジングカバー１０５Ａを取り外した場合には、ギア減速機１３０を収容するギアハウジング１０３Ｂが露出され、下側ハウジングカバー１０５Ｂを取り外した場合には、フィルタユニット１３４及びクランクハウジング１０３Ａのうちカーボンブラシホルダ１８１を収容している領域が露出される構成としている。従って、上側ハウジングカバー１０５Ａ及び下側ハウジングカバー１０５Ｂを取り外し、ギア減速機１３０、フィルタユニット１３４、カーボンブラシ１８３等の保守点検作業を行うことができる。
【００６４】
また、本実施形態によれば、ハンドグリップ１０９は、外側ハウジング１０５の上側ハウジングカバー１０５Ａ及び下側ハウジングカバー１０５Ｂとの連結を解除して本体ハウジング１０３から取外すことが可能とされている。そして、ハンドグリップ１０９を取り外した場合には、電動モータ１１０の駆動に関係するコントローラ１７１や電線、電気スイッチ１７３等の電材部品の一部が露出される構成としている。従って、本体ハウジング１０３からハンドグリップ１０９を取り外すとともに、リアハウジング１０３Ｄを取り外すことにより、電材部品の保守点検作業を行うことができる。
【００６５】
また、本実施形態によれば、外側ハウジング１０５のバレルカバー１０５Ｃにサイドグリップ２３０が装着可能なサイドグリップ装着部２２５が形成されている。このため、バレルカバー１０５Ｃにサイドグリップ２３０を装着し、ハンドグリップ１０９とサイドグリップ２３０を把持して電動ハンマ１００を操作できる。
【００６６】
なお、本実施形態では、クランクハウジング１０３Ａのうち電動モータ１１０、第１クランク機構１２０及び第２クランク機構１５０に対応する左右の各側面に露出領域を設定したが、これに限定されない。露出領域については、電動モータ１１０及び第１クランク機構１２０の少なくとも一方に対応する領域の少なくとも一部が露出されるように設定すればよい。例えば、本体ハウジング１０３のうち電動モータ１１０に対応する領域の一部または全部が露出するように設定してもよいし、本体ハウジング１０３のうち第１クランク機構１２０に対応する領域の一部または全部が露出するように設定してもよいし、本体ハウジング１０３のうち電動モータ１１０及び第１クランク機構１２０に対応する領域の一部または全部が露出するように設定してもよい。また、露出領域は、バレル部１０３Ｃに設定してもよい。すなわち、バレルカバー１０５Ｃに所定の大きさの窓を設け、この窓からバレル部１０３Ｃが露出するように構成することも可能である。
【００６７】
また、本実施形態では、外側ハウジング１０５の構成部材である、上側ハウジングカバー１０５Ａと下側ハウジングカバー１０５Ｂにつき、バレルカバー１０５Ｃ及びハンドグリップ１０９を介して連結する構成としたが、上側ハウジングカバー１０５Ａと下側ハウジングカバー１０５Ｂを直接に連結する構成としてもよい。また、上側ハウジングカバー１０５Ａと下側ハウジングカバー１０５Ｂのうちいずれか一方につき、本体ハウジング１０３に対して取外し可能に構成してもよい。また、ハンドグリップ１０９は、上側ハウジングカバー１０５Ａと下側ハウジングカバー１０５Ｂのいずれか一方に連結される構成であってもよい。
【００６８】
また、本実施形態では、本体ハウジング１０３の振動を抑制する制振機構として動吸振器１６０を設置したが、動吸振器１６０に変えて、カウンタウェイトを設置し、本体ハウジング１０３に生ずる振動に対抗して第２クランク機構１５０によりカウンタウェイトをハンマビット１１９の長軸方向に直線運動させることで当該振動の制振を行うように構成してもよい。
【００６９】
また、上述した実施形態は、打撃工具の例として、電動ハンマの場合で説明したが、ハンマビット１１９に長軸方向の直線動作と長軸方向周りの回転を行なわせるハンマドリルに適用してもよい。
【００７０】
なお、本発明の趣旨に鑑み、以下の如き態様を構成することができる。
（態様１）
「請求項１に記載の打撃工具であって、
前記本体ハウジングは、前記モータの駆動に関係する電材部品を覆うカバー部材を有しており、
前記カバー部材は、前記外側ハウジングの外表面に露出されていることを特徴とする打撃工具。」
【００７１】
この態様１によれば、電材部品を覆うカバー部材が外側ハウジングの外表面に露出されているため、電材部品に発生した熱がカバー部材を通じて外部に放散し易くなる。
【００７２】
（態様２）
「請求項４に記載の打撃工具であって、
前記第１ハウジングと前記第２ハウジングのそれぞれに前記ハンドルが取外し可能に連結されていることを特徴とする打撃工具。」
【００７３】
この態様２によれば、第１ハウジング及び第２ハウジングに加え、ハンドルも本体ハウジングから取り外すことができる。
【００７４】
（態様３）
「請求項６に記載の打撃工具であって、
前記サイドハンドル装着部は、断面円形の円環状部として形成されており、前記円環状部の内周面には鉄製の補強スリーブが嵌着されていることを特徴とする打撃工具。」
【００７５】
この態様３によれば、補強スリーブによってサイドハンドル装着部を補強することができる。
【００７６】
（態様４）
「請求項７に記載の打撃工具であって、
前記ガイド部は、前記本体ハウジングに設けられて前記先端工具の長軸方向に延在する複数のガイド部材と、前記ハンドルに設けられて前記ガイド部材に摺動可能に嵌合する複数のスライド筒部を有し、前記ガイド部材の外表面によって前記第１摺動部が構成され、前記スライド筒部の内面によって前記第２摺動部が構成されていることを特徴とする打撃工具。」
【００７７】
この態様４によれば、外側ハウジング及びハンドルを、複数のガイド部材によって案内する構成のため、外側ハウジング及びハンドルの動作の安定化が図られ、先端工具の長軸方向に円滑に移動させることができる。
【００７８】
（態様５）
「請求項１に記載の打撃工具であって、
前記本体ハウジングは、前記駆動機構の一部を収容するバレル部を有し、
前記外側ハウジングは、前記バレル部を覆うバレルカバーを有し、
前記打撃工具は、前記本体ハウジングに対する前記外側ハウジングの相対移動範囲を規定するストッパを有し、
前記ストッパは、前記先端工具に近接する方向へと移動する前記外側ハウジングを所定位置に位置決めする第１ストッパ部材と、前記外側ハウジングが前記先端工具から離間する方向へと移動する場合に所定位置に位置決めする第２ストッパ部材と、を有し、
前記第１ストッパ部材は、前記先端工具の長軸方向に関して、前記ハンドルと前記本体ハウジングとの間に配置され、
前記第２ストッパ部材は、前記先端工具の長軸方向に関して、前記バレルカバーと前記本体ハウジングとの間に配置されていることを特徴とする打撃工具。」
【００７９】
この態様５によれば、本体ハウジングに対する外側ハウジングの相対移動範囲を規定するストッパを合理的に配置することができる。
【００８０】
（実施形態の各構成要素と本発明の構成要素との対応関係）
本実施形態における各構成要素と、本発明における構成要素との発明特定事項との関係は、以下のとおりである。もちろん、本実施形態における各構成要素は、対応する本発明の特定事項に関する一つの実施構成例に過ぎず、本発明の各構成要素はこれに限定されるものではない。
電動ハンマ１００が、本発明の「打撃工具」に対応する構成の一例である。
ハンマビット１１９が、本発明の「先端工具」に対応する構成の一例である。
電動モータ１１０が、本発明の「モータ」に対応する構成の一例である。
第１クランク機構１２０及び打撃要素１４０が、本発明における「駆動機構」に対応する構成の一例である。
本体ハウジング１０３が、本発明の「本体ハウジング」に対応する構成の一例である。
外側ハウジング１０５が、本発明の「外側ハウジング」に対応する構成の一例である。
上側ハウジングカバー１０５Ａが、本発明の「第１ハウジング」に対応する構成の一例である。
下側ハウジングカバー１０５Ｂが、本発明の「第２ハウジング」に対応する構成の一例である。
圧縮コイルスバネ２１９が、本発明の「弾性体」に対応する構成の一例である。
露出領域１１３が、本発明の「露出領域」に対応する構成の一例である。
ハンドグリップ１０９が、本発明の「ハンドル」に対応する構成の一例である。
第１クランク機構１２０が、本発明における「運動変換機構」に対応する構成の一例である。
ギア減速機１３０が、本発明における「回転伝達機構」に対応する構成の一例である。
クランクハウジング１０３Ａが、本発明の「運動変換機構収容部」に対応する構成の一例である。
ギアハウジング１０３Ｂが、本発明の「回転伝達機構収容部」に対応する構成の一例である。
エアフィルタ１３１が、本発明の「エアフィルタ」に対応する構成の一例である。
バレル部１０３Ｃが、本発明の「バレル部」に対応する構成の一例である。
バレルカバー１０５Ｃが、本発明の「バレルカバー」に対応する構成の一例である。
サイドグリップ２３０が、本発明の「サイドハンドル」に対応する構成の一例である。
サイドグリップ装着部２２５が、本発明の「サイドハンドル装着部」に対応する構成の一例である。
スライドガイド２１１が、本発明の「ガイド部」に対応する構成の一例である。
第２クランク機構１５０が、本発明の「機械式加振機構」に対応する構成の一例である。
動吸振器１６０が、本発明の「動吸振器」に対応する構成の一例である。
ウェイト１６１が、本発明の「ウェイト」に対応する構成の一例である。
付勢バネ１６３３Ｆ，１６３Ｒが、本発明の「弾性要素」に対応する構成の一例である。
【符号の説明】
【００８１】
１００  電動ハンマ（打撃工具）
１０１  本体部
１０３  本体ハウジング
１０３Ａ  クランクハウジング（運動変換機構収容部）
１０３Ｂ  ギアハウジング（回転伝達機構収容部）
１０３Ｃ  バレル部
１０３Ｄ  リアカバー
１０５  外側ハウジング
１０５Ａ  上側ハウジングカバー（第１ハウジング）
１０５Ｂ  下側ハウジングカバー（第２ハウジング）
１０５Ｃ  バレルカバー
１０７  ネジ
１０９  ハンドグリップ（ハンドル）
１０９Ａ  グリップ部
１０９Ｂ  上側連接領域
１０９Ｃ  下側連接領域
１１０  電動モータ（モータ）
１１１  モータ軸
１１３  露出領域
１１４  放熱フィン
１１５  露出領域
１１９  ハンマビット（先端工具）
１２０  第１クランク機構（運動変換機構、駆動機構）
１２１  第１クランク軸
１２３  偏心ピン
１２５  連接ロッド
１２７  ピストン
１３０  ギア減速機（回転伝達機構）
１３１  ツールホルダ
１３３  圧力調整通路
１３４  フィルタユニット
１３５  フィルタ収容ケース
１３６  フィルタ
１３７  ケースカバー
１４０  打撃要素（駆動機構）
１４１  シリンダ
１４１ａ  空気室
１４３  ストライカ
１４５  インパクトボルト
１５０  第２クランク機構（機械式加振機構）
１５１  第２クランク軸
１５３  偏心軸部
１５５  ロッド
１５７  円板部
１５７ａ  凹部
１６０  動吸振器
１６１  ウェイト
１６３Ｆ，１６３Ｒ  付勢バネ
１６５  スライドスリーブ
１６５ａ  フランジ部
１６７  リング状部材
１７０  電材部品収納ケース
１７１  コントローラ（電材部品）
１７２  電流供給ケーブル
１７３  電気スイッチ（電材部品）
１７７  スイッチ操作部材
１８１  カーボンブラシホルダ
１８３  カーボンブラシ
１８５  ブラシホルダ収容領域
１８７  開口部
１９１  筒状部
１９１ａ  突部
１９３  ネジ
１９５  ネジ
２１１  スライドガイド（ガイド部）
２１３  シャフト保持部
２１３ａ  ネジ孔
２１４  バネ受け
２１５  ガイドシャフト
２１５ａ  雄ネジ
２１５ｂ  突出部
２１７  スライド筒部
２１７ａ  筒孔
２１９  圧縮コイルバネ（弾性体）
２２１  弾性リング
２２３  ストッパ
２２３ａ  後側のストッパ
２２３ｂ  前側のストッパ
２２５  サイドグリップ装着部
２２７  鉄製スリーブ
２３０  サイドグリップ
２３１  取付リング部
２３３  グリップ部
２３５  操作部材
【図１】
2015182167.tif 000003
【図２】
2015182167.tif 000004
【図３】
2015182167.tif 000005
【図４】
2015182167.tif 000006
【図５】
2015182167.tif 000007
【図６】
2015182167.tif 000008
【図７】
2015182167.tif 000009
【図８】
2015182167.tif 000010
【図９】
2015182167.tif 000011